(57)【特許請求の範囲】
【請求項１】
Ｌ型金具とカバーとを備え、Ｌ型金具は、支柱への当接片と躯体への当接片の端部に嵌合部をそれぞれ有し、支柱と躯体に当接し固着具で固定してあり、カバーは、Ｌ型金具の嵌合部に嵌合する被嵌合部を有し、Ｌ型金具の上下端部及び屈曲部内周側を覆い、固着具を隠していることを特徴とする手摺支柱用ブラケット。
【請求項２】
Ｌ型金具とカバーとを備え、Ｌ型金具は、支柱への当接片と躯体への当接片の端部に嵌合部をそれぞれ有し、且つ屈曲部の内周側面に沿ってタッピングホールを有し、支柱と躯体に当接し固着具で固定してあり、カバーは、Ｌ型金具の嵌合部に嵌合する被嵌合部を有し、被嵌合部を嵌合部に嵌合すると共にタッピングホールにビスで固定してあり、Ｌ型金具の上下端部及び屈曲部内周側を覆い、固着具を隠していることを特徴とする手摺支柱用ブラケット。
【請求項３】
カバーは、側壁部と上下蓋部とからなり、側壁部は、両側縁に被嵌合部を有すると共に、被嵌合部よりも内周側にタッピングホールを有し、上下蓋部は、少なくとも一方が側壁部と別体であり、Ｌ型金具及び側壁部のタッピングホールにビスで固定してあることを特徴とする請求項２記載の手摺支柱用ブラケット。
【請求項４】
請求項１〜３の何れかに記載の手摺支柱用ブラケットを備えることを特徴とする手摺。
【発明の詳細な説明】
【技術分野】
【０００１】
本発明は、手摺の支柱を躯体に固定するための手摺支柱用ブラケットと、この手摺支柱用ブラケットを用いた手摺に関する。
【背景技術】
【０００２】
従来のベランダ等の手摺として特許文献１には、支柱の下端部側面に断面Ｌ形のブラケットをボルト・ナットで取付け、ブラケットの後面をベランダの立上がり壁の屋外側面に当接してアンカーボルトで固定したものが記載されている。この手摺では、ブラケットやブラケットを固定しているボルト・ナット等が露出しているため体裁が悪く、またブラケットやボルト・ナット等が風雨にさらされていることで腐食したりしやすい。
特許文献２の図４〜７には、支柱の下端部に断面Ｌ字状のブラケット（取付部２２）が一体に設けられ、ブラケットには屋外側が開放した箱状のフランジ部２８を有し、フランジ部を建物の外壁に当接してネジ２３で固定した後、フランジ部の前面開放部と上面及び下面を覆うカバー部材２５を取付けたものが記載されている。この手摺では、支柱にブラケットが一体に形成してあるため、支柱の屋内外方向の傾きを調整ないし修正するのに苦労する上、外壁に固定するためのフランジ部が箱状になっていることで、フランジ部を固定するネジの締め付け作業がしづらい。
【先行技術文献】
【特許文献】
【０００３】
【特許文献１】特開２００６−１５２７０５号公報
【特許文献２】特開平１１−３１５６２５号公報
【発明の概要】
【発明が解決しようとする課題】
【０００４】
本発明は以上に述べた実情に鑑み、支柱の取付部の意匠性や耐久性を向上できると共に施工性も良好な手摺支柱用ブラケットと、当該ブラケットを備えた手摺の提供を目的とする。
【課題を解決するための手段】
【０００５】
上記の課題を達成するために請求項１記載の発明による手摺支柱用ブラケットは、Ｌ型金具とカバーとを備え、Ｌ型金具は、支柱への当接片と躯体への当接片の端部に嵌合部をそれぞれ有し、支柱と躯体に当接し固着具で固定してあり、カバーは、Ｌ型金具の嵌合部に嵌合する被嵌合部を有し、Ｌ型金具の上下端部及び屈曲部内周側を覆い、固着具を隠していることを特徴とする。
【０００６】
請求項２記載の発明による手摺支柱用ブラケットは、Ｌ型金具とカバーとを備え、Ｌ型金具は、支柱への当接片と躯体への当接片の端部に嵌合部をそれぞれ有し、且つ屈曲部の内周側面に沿ってタッピングホールを有し、支柱と躯体に当接し固着具で固定してあり、カバーは、Ｌ型金具の嵌合部に嵌合する被嵌合部を有し、被嵌合部を嵌合部に嵌合すると共にタッピングホールにビスで固定してあり、Ｌ型金具の上下端部及び屈曲部内周側を覆い、固着具を隠していることを特徴とする。
【０００７】
請求項３記載の発明による手摺支柱用ブラケットは、請求項２記載の発明の構成に加え、カバーは、側壁部と上下蓋部とからなり、側壁部は、両側縁に被嵌合部を有すると共に、被嵌合部よりも内周側にタッピングホールを有し、上下蓋部は、少なくとも一方が側壁部と別体であり、Ｌ型金具及び側壁部のタッピングホールにビスで固定してあることを特徴とする。
【０００８】
請求項４記載の発明による手摺は、請求項１〜３の何れかに記載の手摺支柱用ブラケットを備えることを特徴とする。
【発明の効果】
【０００９】
請求項１記載の発明による手摺支柱用ブラケットは、Ｌ型金具と、Ｌ型金具の上下端部及び屈曲部内周側を覆うカバーとで構成してあり、Ｌ型金具及び固着具がカバーによって隠れるため意匠性が良いとともに、Ｌ型金具及び固着具の腐食や破損を防止できる。また、カバーを取付ける前の状態では、Ｌ型金具の上方と下方及び内周側が開放しているため、固着具の締め付け時に邪魔になるものがなく、施工性がよい。さらに本発明の手摺支柱用ブラケットは、Ｌ型金具の嵌合部にカバーの被嵌合部を嵌合させることでカバーの取付けが容易に行える。
【００１０】
請求項２記載の発明による手摺支柱用ブラケットは、Ｌ型金具の嵌合部にカバーの被嵌合部を嵌合させることでカバーの取付けが簡単に行え、またＬ型金具の屈曲部の内周側面に沿ってタッピングホールを有しており、タッピングホールを利用してカバーをＬ型金具にビス固定することで、カバーが外れるのを防止できる。嵌合部が支柱と躯体への当接片の端部に設けてあることで、両当接片の端部もカバーによりカバーできる。Ｌ型金具にタッピングホールが屈曲部の内周側面に沿って設けてあり、固着具から一定の距離があるため、タッピングホールに向かってビスが打ちやすい。
【００１１】
請求項３記載の発明による手摺支柱用ブラケットは、カバーが側壁部と上下蓋部とからなり、上下蓋部の少なくとも一方が側壁部と別体であることで、カバーの取付けが一層容易になると共にカバーの製作コストを抑えられる。カバーの側壁部は、被嵌合部よりも内周側にタッピングホールを有しており、上下蓋部をＬ型金具と側壁部のタッピングホールにビスで固定することで、Ｌ型金具とカバーの側壁部及び上下蓋部とが一体化され、カバーの分離・脱落を確実に防止できる。
【００１２】
請求項４記載の発明による手摺は、請求項１〜３の何れかに記載の手摺支柱用ブラケットを備えていることで、Ｌ型金具や固着具が露出しないので意匠性と耐久性を向上でき、尚且つＬ型金具の支柱への取付けや躯体への固定、カバーの取付け作業を容易に行うことができ、施工性も良好である。
【図面の簡単な説明】
【００１３】
【図１】図４のＡ−Ａ断面図である。
【図２】支柱の周辺を拡大して示す屋外側正面図である。
【図３】図４のＢ−Ｂ断面図である。
【図４】本発明の手摺の一実施形態を示す屋外側正面図である。
【図５】支柱を躯体に取付けるときの状態を示す分解斜視図である。
【図６】手摺支柱用ブラケットにカバーを取付けるときの状態を示す分解斜視図である。
【図７】本発明の手摺の他の実施形態を示す縦断面図である。
【図８】手摺支柱用ブラケットのカバーの他の例を示す横断面図である。
【図９】手摺支柱用ブラケットのカバーの他の例を示す平面図である。
【発明を実施するための形態】
【００１４】
以下、本発明の実施の形態を図面に基づいて説明する。図１〜４は、本発明の手摺の一実施形態を示している。本手摺は、集合住宅のベランダ１２に設けられる落下防止用の手摺であり、図４に示すように、支柱１１を左右方向に一定の間隔で有し、支柱１１の上端部に笠木１３が架設してあり、支柱１１間の下部に下弦材１４が架設してあり、笠木１３と下弦材１４間に縦桟１５が左右方向に一定の間隔をおいて多数架設してある。本手摺は、図２，３に示すように、支柱１１の下端部の左右側面に手摺支柱用ブラケット１を設け、このブラケット１を介してベランダ１２の屋外側面に取付けている。支柱１１は、正方形断面のパイプ状で、内部に補強材１６を挿入して補強してある。
【００１５】
手摺支柱用ブラケット１は、図１，２，６に示すように、Ｌ型金具２とカバー３とから成り、カバー３は側壁部３ａと上下蓋部３ｂ，３ｃの三つのパーツに分割して形成してある。
Ｌ型金具２は、アルミニウム合金の押出形材で形成したものであり、支柱１１の側面に当接する支柱当接片４と、ベランダ１２の屋外側面に当接する躯体当接片５を直角に有し、両片４，５を繋ぐ屈曲部６は４５°のテーパー状に設けてあり、屈曲部６とベランダ１２屋外側面との間に空間が形成されている。支柱当接片４は、図３に示すように、上下２箇所にボルト１７の挿通孔１８が屋内外方向の長孔状に設けてあり、図１に示すように、座金１９を挟んでボルト１７とナット２０により支柱１１の側面に固定されている。支柱当接片４の支柱１１と反対側の面と座金１９の裏面には、上下方向のギザギザ２１が互いに噛合うように設けてある。ボルト１７の挿通孔１８が屋内外方向の長孔になっていることで、支柱１１の屋内外方向の傾きを調整ないし修正することができ、支柱当接片４と座金１９の当接面にギザギザ２１が設けてあることで、ナット２０を締め付けると座金１９の滑りを防止して支柱１１を傾かないように強固に固定できる。支柱当接片４の先端部の屋外側面には、カバー３の嵌合溝７ａが上下方向に設けてある。
躯体当接片５は、上下２箇所にアンカーボルト２２の挿通孔２３が左右方向の長孔状に設けてあり、ベランダ１２の屋外側面に埋め込んで固定したアンカーボルト２２を挿通孔２３に挿通し、目板２４及び座金２５を挟んでナット２６で固定してある。躯体当接片５の先端部の側面には、カバー３の嵌合溝７ｂが上下方向に設けてあり、屋外側の角部は４５°の傾斜面２７で面取りしてある。
屈曲部６には、内周側面に沿ってタッピングホール９ａが上下方向に設けてある。
【００１６】
Ｌ型金具２は、躯体当接片５の厚みを厚く、支柱当接片４の厚みをそれより薄くしてあり、このように厚みを違わせることで合理化を図っている。屈曲部６をテーパーにすることで、タッピングホール９ａを設けるスペースを確保するのが容易となり、またタッピングホール９ａの位置がベランダ１２の屋外側面から離れるので、タッピングホール９ａにビス１０ａを打ちやすい。
【００１７】
カバー３の側壁部３ａは、アルミ合金の押出形材で形成したものであり、図１に示すように、左右方向にのびる見付壁２８と、前後方向にのびる見込壁２９と、見付壁２８と見込壁２９の間に位置する斜め壁３０とを有し、斜め壁３０は内側に少し凹むように湾曲している。見付壁２８と見込壁２９の側縁部裏面側には突条８ａ，８ｂが上下方向に設けてあり、各突条８ａ，８ｂはＬ型金具２の支柱当接片４と躯体当接片５の先端部に設けた嵌合溝７ａ，７ｂにそれぞれ嵌合している。見付壁２８と見込壁２９の裏面の、突条８ａ，８ｂよりも内側に入った位置には、タッピングホール９ｂ，９ｃが上下方向に設けてある。側壁部３ａの上下寸法は、Ｌ型金具２の上下寸法と同じになっている。
上下の蓋部３ｂ，３ｃは、アルミの薄い板をＬ型金具２とカバー側壁部３ａを合わせたものの輪郭に沿う形状に切断して形成されており、Ｌ型金具２とカバー側壁部３ａの上下端面に当接し、上方と下方からＬ型金具２とカバー側壁部３ａに設けた３箇所のタッピングホール９ａ，９ｂ，９ｃにビス１０ａ，１０ｂ，１０ｃをそれぞれ打ち込んで固定している。
【００１８】
次に本手摺の施工手順を説明する。手摺は、支柱１１と笠木１３と下弦材１４と縦桟１５とを連結して組み立て、各支柱１１の下端部の左右側面にＬ型金具２をボルト１７とナット２０を使用して取付ける。また、ベランダ１２の屋外側面の所定の位置にアンカーボルト２２を埋め込んで固定する。その後、図５に示すように、Ｌ型金具２のアンカーボルト挿通孔２３にアンカーボルト２２を挿通させて躯体当接片５をベランダ１２の屋外側面に当接し、ナット２６を締め込んでＬ型金具２をベランダ１２に固定する。このとき、アンカーボルト挿通孔２３が左右方向の長孔になっているため、支柱１１の左右方向の位置を調整できる。また、ベランダ１２の屋外側面の傾斜や凹凸等により支柱１１が屋内外方向に傾く場合は、Ｌ型金具２を支柱１１に取付けているナット２０を緩めて支柱１１の傾きを修正する。支柱１１の傾きが大きく、支柱当接片４の長孔で吸収できない場合は、Ｌ型金具２の躯体当接片５とベランダ１２の屋外側面の間にスペーサー（図示省略）を挟むことで対応できる。その後、図６に示すように、カバー３の側壁部３ａをＬ型金具２に対して屋外側から押付けると、カバー側壁部３ｂの両側縁部に形成した突条８ａ，８ｂがＬ型金具２の支柱当接片４と躯体当接片５の先端部に設けた嵌合溝７ａ，７ｂにパチンと嵌合し、これにより側壁部３ａがＬ型金具２に対して確実に取付けできる。その後、上下の蓋部３ｂ，３ｃをＬ型金具２とカバー側壁部３ａの上下端面に当てがい、上下からビス１０ａ，１０ｂ，１０ｃをＬ型金具２と側壁部３ａに形成されたタッピングホール９ａ，９ｂ，９ｃに打ち込んで固定する。
【００１９】
以上に述べたように本手摺は、支柱１１下部をベランダ１２に固定するＬ型金具２にカバー３を取付け、Ｌ型金具２とこれを支柱１１とベランダ１２に取付けているボルト等固着具１７，２０，２２，２６を隠したので、支柱１１の固定部がすっきりした外観となり意匠性が向上するとともに、支柱１１の固定部の腐食を防止して耐久性を向上することができる。カバー３を取付ける前の状態では、Ｌ型金具２の上方と下方及び内周側が開放しているため、ボルト１７やナット２０，２６の締め付け時に邪魔になるものがなく、施工性がよい。
さらに、Ｌ型金具２の支柱当接片４と躯体当接片５の先端部にカバー３の嵌合溝７ａ，７ｂを設け、カバーの側壁部３ａの両側縁に設けた突条８ａ，８ｂを嵌合溝７ａ，７ｂに弾発的に嵌合させることで、カバー３の取付けが簡単に行えるとともに、両当接片４，５の先端部まで確実にカバーできる。Ｌ型金具２の屈曲部６内周側面に沿ってタッピングホール９ａが設けてあり、カバー３をこのタッピングホール９ａを利用してビス１０ａで固定したことで、カバー３が外れるのを防ぐことができ、またタッピングホール９ａがボルト等固着具１７，２０，２２，２６から離れた位置にあるため、タッピングホール９ａに向かってビス１０ａが打ちやすい。特に本実施形態のように、Ｌ型金具２の屈曲部６をテーパー状に設けることで、タッピングホール９ａがベランダ１２と支柱１１から一定の距離をおけるので、ビス１０ａを打つ作業が一層容易になる。
カバー３を側壁部３ａと上下の蓋部３ｂ，３ｃとに分割して形成したので、カバー３の取付けが一層容易になると共にカバー３の製作コストを抑えられる。カバー３の側壁部３ａは、突条８ａ，８ｂよりも内周側にタッピングホール９ｂ，９ｃを有しており、上下蓋部３ｂ，３ｃをＬ型金具２とカバー側壁部３ａのタッピングホール９ａ，９ｂ，９ｃにビス１０ａ，１０ｂ，１０ｃで固定することで、Ｌ型金具２とカバー３の側壁部３ａ及び上下蓋部３ｂ，３ｃとが一体化され、カバー３の分離・脱落を確実に防止できる。
【００２０】
図７は、本発明の手摺の他の実施形態を示している。この実施形態では、支柱１１の上部と下部にブラケット３１ａ，３１ｂを屋内側に向けて設け、手摺構成材（笠木１３、下弦材１４、縦桟１５）を支柱１１の屋内側に持ち出して取付けており、手摺構成材１３，１４，１５がベランダ１２の屋外側端部に設けた立ち上がり壁３２の上方に位置している。このように、手摺構成材１３，１４，１５をベランダ１２の立ち上がり壁３２の上方に位置させることで、ベランダ１２を使用する人がより安心感を得られ、また手摺構成材１３，１４，１５を支柱１１と分離して組立てて屋内側から設置できるので、施工も容易になる。
【００２１】
図８，９は、カバー３の形態のバリエーションを示している。Ｌ型金具２は同一のものを使用している。このように本手摺支柱用ブラケット１は、カバー３の形態を変えるだけで、簡単に角柱型（ａ）、アール型（ｂ）、三角型（ｃ），（ｄ）、段付型（ｅ）といった多種類のバリエーションを持たせられる。
【００２２】
本発明は以上に述べた実施形態に限定されない。カバー３は、上下の蓋部３ｂ，３ｃの何れか一方を側壁部３ａと一体化したもの、上下の蓋部３ｂ，３ｃを両方とも側壁部３ａと一体化したものであってもよい。手摺の形態は任意であり、縦桟１５を架設して格子状にしたものに限らず、開口部に樹脂等のパネルを取付けたものでもよい。手摺は、ベランダに設けるものに限らず、窓の屋外側に外壁に当接して設けるもの等であってもよい。
【符号の説明】
【００２３】
１  手摺支柱用ブラケット
２  Ｌ型金具
３  カバー
３ａ  側壁部
３ｂ  上蓋部
３ｃ  下蓋部
４  支柱当接片
５  躯体当接片
６  屈曲部
７ａ，７ｂ  嵌合溝（嵌合部）  
８ａ，８ｂ  突条（被嵌合部）  
９ａ，９ｂ，９ｃ  タッピングホール  
１０ａ，１０ｂ，１０ｃ  ビス
１１  支柱
１２  ベランダ（躯体）
１７  ボルト（固着具）
２０  ナット（固着具）
２２  アンカーボルト（固着具）
２６  ナット（固着具）  
【図１】
0005529556.tif 000002
【図２】
0005529556.tif 000003
【図３】
0005529556.tif 000004
【図４】
0005529556.tif 000005
【図５】
0005529556.tif 000006
【図６】
0005529556.tif 000007
【図７】
0005529556.tif 000008
【図８】
0005529556.tif 000009
【図９】
0005529556.tif 000010